(57)【要約】【課題】利用者に取っては趣味や嗜好に合致した広告コンテンツを容易に検索することができ、広告企業にとってはその広告企業の広告コンテンツに興味があると思われる利用者に閲覧させやすい状態とすることで高い広告効果が得られる広告コンテンツ検索装置および広告情報検索プログラムを提供する。【解決手段】広告サーバ１は、広告コンテンツ検索プログラムを動作させることで、広告企業を示す企業名情報、広告コンテンツを閲覧した利用者に支払われる報酬を示す報酬情報、広告企業を抽出するための検索語情報が格納された記憶手段１８から、検索キーワードに基づいて、検索語情報を検索し、検索された検索語情報に関連付けられた広告企業のうち、報酬情報が最も高い広告企業を抽出する検索手段１７と、抽出企業の企業名情報および報酬情報を、広告ページへのリンクと共に表示したページを検索結果ページとして生成するページ処理手段１５として機能している。【選択図】図２
2011028645.tif 000002
【特許請求の範囲】
【請求項１】
広告を掲載する広告企業を示す企業名情報、当該広告企業の広告である広告コンテンツを閲覧した利用者に広告企業から支払われる報酬を示す報酬情報、前記広告企業を抽出するための検索語情報、がそれぞれに関連付けられて、広告企業情報として格納される記憶手段と、
入力された検索キーワードに基づいて、前記検索語情報を検索し、検索された検索語情報に関連付けられた広告企業のうち、報酬情報が最も高い広告企業を、抽出企業として抽出する検索手段と、
前記抽出企業の企業名情報および報酬情報を、該抽出企業の広告ページへのリンクと共に表示したページを検索結果ページとして生成する検索結果ページ生成手段とを備えたことを特徴とする広告コンテンツ検索装置。
【請求項２】
前記記憶手段には、前記広告企業情報として、広告コンテンツを閲覧した利用者に支払われる報酬の総額を示す総額情報が含まれ、
前記検索手段は、広告コンテンツを閲覧した利用者に報酬を支払うことによって、総額情報を超え支払いができなくなった広告企業を除き、報酬情報が最も高い広告企業を、抽出企業として検索する請求項１記載の広告コンテンツ検索装置。
【請求項３】
前記検索手段は、入力された検索キーワードが複数であるときに、いずれかの検索キーワードを検索語情報として含む広告企業について検索し、そのうち報酬情報が最も高い広告企業を抽出企業として抽出する請求項１または２記載の広告コンテンツ検索装置。
【請求項４】
コンピュータを、
広告を掲載する広告企業を示す企業名情報、当該広告企業の広告である広告コンテンツを閲覧した利用者に広告企業から支払われる報酬を示す報酬情報、前記広告企業を抽出するための検索語情報、がそれぞれに関連付けられて、広告企業情報として格納された記憶手段から、入力された検索キーワードに基づいて、前記検索語情報を検索し、検索された検索語情報に関連付けられた広告企業のうち、報酬情報が最も高い広告企業を、抽出企業として抽出する検索手段、
前記抽出企業の企業名情報および報酬情報を、該抽出企業の広告ページへのリンクと共に表示したページを検索結果ページとして生成する検索結果ページ生成手段として機能させることを特徴とする広告コンテンツ検索プログラム。
【発明の詳細な説明】
【技術分野】
【０００１】
本発明は、インターネットを利用して広告する広告企業の広告ページが検索できる広告コンテンツ検索装置および広告コンテンツ検索プログラムに関し、特に、利用者が得たい情報が掲載された広告ページを検索できる広告コンテンツ検索装置および広告コンテンツ検索プログラムに関するものである。
【背景技術】
【０００２】
利用者が、端末装置を操作して、インターネットを介して様々なウェブサイトへアクセスすることで、所望とする情報をウェブページから得ることができる。ウェブページとしては、企業のサイトや個人のサイト、ビジネスに関するサイトや趣味のサイト、著名人や個人のブログなど、多種多様なサイトが世界中にある。この中から所望とする情報を幅広く得ることは段々難しくなってきている。
【０００３】
一方、インターネットでは、ウェブサイトに掲載されたバナー広告を始めとして、メールマガジンや、検索サイトでキーワードでの検索結果と連動した広告など、様々な形態で広告宣伝活動が行われている。しかし、バナー広告は、現状では様々なサイトに掲載されているので、インターネット利用者がサイトにバナー広告があることに対して慣れてしまって、バナー広告上をクリックさせるような刺激的な文言があったとしても、利用者の興味を引くのは厳しい状況である。
【０００４】
特許文献１に記載の広告コンテンツ提示システムでは、該当する変換語のリストをブラウザ端末に送信し、変換語リスト中の一つの変換語が選択されると、選択された変換語に基づいて広告コンテンツを蓄積・管理する広告データベースを照会し、当該関連語に対応付けされている広告コンテンツを取得し、当該広告コンテンツをブラウザ端末に返送して、変換語のリストと共に広告コンテンツを表示するようにしている。
【０００５】
この特許文献１に記載の広告コンテンツ提示システムによれば、利用者が検索サイトを利用して情報検索をしている過程で広告コンテンツが利用者に提示されるので、検索サイトに検索キーワードを送付して検索結果が返ってくるまでの処理や時間を無くし、利用者が興味を持つ可能性が高い広告コンテンツがより多く提示されるので、検索処理を経ずに利用者を目的とする情報源へ導くことができる。また、広告主にとっては、自身の広告コ
ンテンツが利用者の目に晒される機会が多くなり、大きな宣伝効果が期待できるというものである。
【先行技術文献】
【特許文献】
【０００６】
【特許文献１】特開２００７−３４４６４号公報
【発明の概要】
【発明が解決しようとする課題】
【０００７】
しかし、特許文献１に記載の広告コンテンツ提示システムでは、検索キーワードに関連した多数の広告コンテンツが広告データベースに蓄積・管理されている場合には、多くの広告コンテンツが表示され、広告コンテンツの中に自分の広告コンテンツが埋没してしまうおそれがある。従って、利用者が興味を持つ可能性が高い広告コンテンツを、利用者に閲覧してもらえないことが想定され、広告企業にとっては宣伝効果が期待できないおそれがある。
【０００８】
そこで本発明は、利用者に取っては趣味や嗜好に合致した広告コンテンツを容易に検索することができ、広告企業にとってはその広告企業の広告コンテンツに興味があると思われる利用者に閲覧させやすい状態とすることで高い広告効果が得られる広告コンテンツ検索装置および広告情報検索プログラムを提供することを目的とする。
【課題を解決するための手段】
【０００９】
本発明の広告コンテンツ検索装置は、広告を掲載する広告企業を示す企業名情報、当該広告企業の広告である広告コンテンツを閲覧した利用者に広告企業から支払われる報酬を示す報酬情報、前記広告企業を抽出するための検索語情報、がそれぞれに関連付けられて、広告企業情報として格納される記憶手段と、入力された検索キーワードに基づいて、前記検索語情報を検索し、検索された検索語情報に関連付けられた広告企業のうち、報酬情報が最も高い広告企業を、抽出企業として抽出する検索手段と、前記抽出企業の企業名情報および報酬情報を、該抽出企業の広告ページへのリンクと共に表示したページを検索結果ページとして生成する検索結果ページ生成手段とを備えたことを特徴とする。
【００１０】
また、本発明の広告コンテンツ検索プログラムは、コンピュータを、広告を掲載する広告企業を示す企業名情報、当該広告企業の広告である広告コンテンツを閲覧した利用者に広告企業から支払われる報酬を示す報酬情報、前記広告企業を抽出するための検索語情報、がそれぞれに関連付けられて、広告企業情報として格納された記憶手段から、検索キーワードに基づいて、前記検索語情報を検索し、検索された検索語情報に関連付けられた広告企業のうち、報酬情報が最も高い広告企業を、抽出企業として抽出する検索手段、前記抽出企業の企業名情報および報酬情報を、該抽出企業の広告ページへのリンクと共に表示したページを検索結果ページとして生成する検索結果ページ生成手段として機能させることを特徴とする。
【００１１】
本発明は、検索手段が入力された検索キーワードに基づいて広告企業が提供する広告コンテンツが閲覧可能な広告ページを検索するものである。このとき、検索手段は、検索キーワードに対応する検索語が関連付けられた広告企業であって、報酬情報が最も高い広告企業を、抽出企業として抽出する。そして、検索結果ページ生成手段が、検索結果ページとして、抽出企業の企業名情報および報酬情報を、該抽出企業の広告ページへのリンクと共に表示したページを生成する。検索結果ページにより表示された検索された広告企業は、利用者が興味を持っている企業である確度が高いので、利用者に取っては有益な情報である。また、検索された広告企業は、閲覧することで支払われる報酬が高いので、利用者に対して閲覧を促すことができる。また、広告企業に取っては広告内容に興味のある利用者に広告コンテンツを閲覧させることができるので広告効果が高い。
【００１２】
前記記憶手段には、前記広告企業情報として、広告コンテンツを閲覧した利用者に支払われる報酬の総額を示す総額情報が含まれ、前記検索手段は、広告コンテンツを閲覧した利用者に報酬を支払うことによって、総額情報を超え支払いができなくなった広告企業を除き、報酬情報が最も高い広告企業を、抽出企業として検索するのが望ましい。
広告コンテンツを閲覧しても報酬が支払われないと、抽出企業として抽出されても、利用者を広告ページまで誘導させることが難しくなる。検索手段が、抽出企業として、広告コンテンツを閲覧した利用者に報酬を支払うことにより総額情報を超え支払いができなくなった広告企業を除くことで、検索時点で報酬の支払いが可能で、かつ報酬情報が最も高い広告企業を検索することができる。
【００１３】
前記検索手段は、入力された検索キーワードが複数であるときに、いずれかの検索キーワードを検索語情報として含む広告企業について検索し、そのうち報酬情報が最も高い広告企業を抽出企業として抽出することができる。一般的には検索キーワードを複数入力すると、アンド条件になることで絞り込みができることが多い。しかし、複数の検索キーワードを入力するということは、それぞれの検索キーワードについて利用者は興味を持っていることを示しているので、いずれかの検索キーワードを検索語情報として含む広告企業は、いずれも利用者が興味がある広告企業である。検索手段がいずれかの検索キーワードを検索語情報として含む広告企業について、オア条件で検索すれば、報酬情報が最も高い広告企業を抽出する際の検索範囲を広げることができ、更に報酬の高い広告企業が抽出企業として検索される確率が高くなる。
【発明の効果】
【００１４】
本発明は、利用者に取っては趣味や嗜好に合致した広告コンテンツを容易に検索することができ、広告企業にとってはその広告企業の広告コンテンツに興味があると思われる利用者に閲覧させやすい状態とすることができるので、高い広告効果を得ることができる。
【図面の簡単な説明】
【００１５】
【図１】本発明の実施の形態に係る広告コンテンツ提供システムの構成を示す図である。
【図２】図１に示す広告コンテンツ提供システムの広告サーバの構成を示すブロック図である。
【図３】認証ページの一例を示す図である。
【図４】設定ページの一例を示す図である。
【図５】広告ページの一例を示す図である。
【図６】他の広告ページの一例を示す図である。
【図７】広告企業の総額情報、報酬情報および利用者人数情報を示す図であり、（Ａ）は変更前を示す図、（Ｂ）は変更後を示す図である。
【図８】検索ページの一例を示す図である。
【図９】検索結果ページの一例を示す図である。
【発明を実施するための形態】
【００１６】
本発明の実施の形態に係る広告コンテンツ提供システムを、図面に基づいて説明する。
図１に示す広告コンテンツ提供システムは、管理会社Ｋに設置された広告サーバ１と、各広告企業Ａ〜Ｃに設置された広告企業端末２１〜２３と、利用者が使用する利用者端末３１〜３４と、金融機関Ｆに設置された金融機関サーバ４とを備え、それぞれがインターネットＷを介してアクセス可能に接続されている。
【００１７】
広告サーバ１は、広告支援プログラムを動作させることで、広告企業Ａ〜Ｃの広告コンテンツを利用者Ｕ１〜Ｕ４に視聴する対価として、各利用者Ｕ１〜Ｕ４に報酬を提供する広告支援装置として機能したり、広告コンテンツ検索プログラムを動作させることで、入力されたキーワードに基づいて広告企業が提供する広告ページを検索することができる広告コンテンツ検索装置として機能したりするものである。
【００１８】
広告サーバ１は、図２に示すように、通信手段１１と、表示手段１２と、入力手段１３と、認証手段１４と、ページ処理手段１５と、口座処理手段１６と、記憶手段１８とを備えている。
【００１９】
通信手段１１は、インターネットＷを介して広告企業端末２１〜２３や利用者端末３１〜３４とデータの受け渡しを行う機能を備えている。通信手段１１は、ＬＡＮ（Local Area Network）とすることができる。表示手段１２および入力手段１３はメンテナンスの際に使用される。表示手段１２は、ＣＲＴ（Cathode Ray Tube）やＬＣＤ（Liquid Crystal Display）とすることができる。入力手段１３は、キーボードやマウスとすることができる。
【００２０】
認証手段１４は、広告企業Ａ〜Ｃの担当者や利用者Ｕ１〜Ｕ４が入力したＩＤ情報とパスワード情報とが記憶手段１８に登録されているか否かで認証を行う。ページ処理手段１５は、認証を得るための認証ページや、広告企業端末２１〜２３に設定ページ、利用者端末３１〜３４に広告ページを生成して送信する。また、ページ処理手段１５は、検索キーワードを入力するための検索ページを生成する検索ページ生成手段として機能したり、検索結果を示す検索結果ページを生成する検索結果ページ生成手段として機能したりするものである。口座処理手段１６は、広告企業Ａ〜Ｃからの広告料の振り込み処理を行ったり、報酬を利用者Ｕ１〜Ｕ４の口座に振り込む報酬提供手段として機能したりする。
【００２１】
検索手段１７は、入力された検索キーワードに基づいて、検索語情報を検索し、検索された検索語情報に関連付けられた広告企業のうち、報酬情報が最も高い広告企業を、抽出企業として抽出する機能を備えている。
【００２２】
記憶手段１８には、認証情報と、広告企業情報と、口座情報と、育成情報と、社会貢献情報とが格納されている。認証情報は、広告企業Ａ〜Ｃや利用者を認証するための情報で、ＩＤ情報とパスワード情報とが含まれている。このＩＤ情報には、広告企業Ａ〜Ｃか個人である利用者Ｕ１〜Ｕ４かを識別する属性情報と、口座情報とが関連付けられている。また、ＩＤ情報が広告企業に属している場合には、広告企業情報が関連付けられている。広告企業情報には、広告企業名情報と、総額情報と、報酬情報と、利用者数情報と、検索語情報と、広告コンテンツと、コメント情報とがそれぞれ関連付けられて含まれている。
【００２３】
総額情報は、広告企業Ａ〜Ｃから支払われる広告コンテンツを視聴した利用者に対する報酬の総額を示す。報酬情報は、利用者の一人当たりの報酬額を示す。利用者数情報は、報酬の支払い可能な人数を示す。検索語情報は、広告企業を抽出するためのもので、広告企業が広告する商品や役務のカテゴリ名や、広告企業の商品や役務の品質を示す語、または商品や役務を想起させる語などである。検索語情報は、検索キーワードとして採用されやすい語を設定するのが望ましい。広告コンテンツは、広告企業が宣伝広告をするための動画ファイルである。口座情報は、金融機関における預貯金の種類（普通、当座等）、口座番号、口座名義などを示す情報である。コメント情報は、広告企業が自企業を宣伝するためのキャッチコピーやキャッチフレーズなどの宣伝文章である。
【００２４】
育成情報には、育成コンテンツと、グループ名情報と、コメント情報とがそれぞれ関連付けられて含まれている。育成コンテンツは、素人バンドや駆け出しのバンド、若手の芸人などを紹介する動画ファイルである。社会貢献情報には、社会貢献コンテンツと、グループ名情報と、コメント情報とがそれぞれ関連付けられて含まれている。社会貢献コンテンツは、「ごみをポイ捨てはやめましょう」、「放置自転車禁止」、「献血しましょう」などのような社会への貢献や、奉仕活動を促進させるような内容の動画ファイルである。育成情報と社会貢献情報とは、管理会社Ｋにより予め登録されている。
【００２５】
広告企業端末２１〜２３は、各広告企業Ａ〜Ｃの各担当が操作するコンピュータで、広告サーバ１からの設定画面に基づいて各種情報を入力したり、広告ページを参照したりする。
【００２６】
利用者端末３１〜３４は、利用者Ｕ１〜Ｕ４が操作するものである。利用者端末３１，３２はインターネットＷとのアクセス機能を有する携帯電話である。利用者端末３３，３４は、インターネットＷとのアクセス機能を有するデスクトップ型またはノートブック型のパーソナルコンピュータである。
【００２７】
金融機関サーバ４は、金融機関に設置され、広告サーバ１から送信された振込金額情報と、振込元の口座情報と、振込先の口座情報とに基づいて、振込処理を行う機能を備えている。
【００２８】
以上のように構成された本発明の実施の形態に係る広告サーバの動作および使用状態を図面に基づいて説明する。まず、広告支援装置として機能する広告サーバ１の動作および使用状態を説明する。なお、広告企業Ａ〜Ｃおよび利用者Ｕ１〜Ｕ４の認証情報および口座情報の登録は完了しているものとする。
【００２９】
広告サーバ１は、広告企業端末２１〜２３のいずれかから広告サーバ１へアクセス要求があると、広告サーバ１のページ処理手段１５は図３に示す認証ページＰ１を生成して、アクセス要求の送信元の広告企業端末２１〜２３へ通信手段１１を介して送信する。
広告企業端末２１〜２３に認証ページが表示されると、広告企業端末２１〜２３を操作する担当者は、登録した認証情報であるＩＤ情報とパスワード情報を入力して「ＯＫ」ボタンを押下する。
【００３０】
広告サーバ１では、広告企業端末２１〜２３から送信されたＩＤ情報とパスワード情報に基づいて認証手段１４が記憶手段１８を参照して認証を取る。認証が得られ、属性情報から広告企業Ａ〜Ｃのいずれかに属する者であることを判別すると、ページ処理手段１５は設定ページを送信する。図４に示す設定ページＰ２では、広告企業Ａが広告企業端末２１を操作してログインした状態を示している。
【００３１】
設定ページＰ２には、ログインした広告企業名と参考分配単価と残高が表示されていると共に、振込金額（報酬総額）欄Ｒ１１と、分配単価欄Ｒ１２と、分配人数欄Ｒ１３と、広告コンテンツ指定欄Ｒ１４と、検索語入力欄Ｒ１５と、コメント入力欄Ｒ１６と、「送信」ボタンＢ１１と、「キャンセル」ボタンＢ１２と、「参照」ボタンＢ１３とが設けられている。
参考分配単価は、設定ページＰ２が表示される時点での最高報酬額を示す。この最高報酬額は、ページ処理手段１５が記憶手段１８に格納された最も高い報酬情報を表示したものである。図４に示す例では、広告企業Ａ以外の他の広告企業が利用者一人に対する報酬を９０円に設定していることがわかる。
振込金額欄Ｒ１１には、広告企業Ａが支払い可能な報酬の総額を入力する。入力した支払い可能な報酬の総額が総額情報となる。図４に示す例では、総額１０，０００円としている。
分配単価欄Ｒ１２には、利用者一人あたりに支払われる報酬額を入力する。入力した報酬額は報酬情報となる。図４に示す例では、広告コンテンツを視聴した利用者一人に対する報酬を１００円としている。
分配人数欄Ｒ１３には、報酬を支払い可能な利用者の人数を入力する。入力した利用者の人数は利用者数情報となる。図４に示す例では、報酬を支払うことができる利用者数を１００人としている。残高には、視聴した利用者に対して支払われた報酬を報酬総額から引いた残りの金額が表示される。図４に示す例では、まだ設定段階であり、一人も広告コンテンツを見ていないため報酬総額全部が残高となっている。
【００３２】
本実施の形態の設定ページＰ２では、利用者数は自動計算されるので、振込金額欄Ｒ１１と分配単価欄Ｒ１２と、分配人数欄Ｒ１３との３つのうち２つの入力欄を入力することで、残りの入力欄は計算された値が自動表示される。
広告コンテンツ指定欄Ｒ１４は、宣伝広告を行うための動画（広告コンテンツ）を指定するために、動画が所在するパスやＵＲＬ（Uniform Resource Locator）を入力する欄である。「参照」ボタンＢ１３を押下すれば、動画ファイルを指定するための別ウィンドウが立ち上がる。新たに広告コンテンツを指定する場合、または先に送信済みの広告コンテンツを入れ替えたい場合には、この広告コンテンツ指定欄Ｒ１４により広告コンテンツを指定して広告サーバ１へアップロードする。広告コンテンツ指定欄Ｒ１４により広告コンテンツを指定しない場合には、先に送信済みの広告コンテンツが継続使用される。広告コンテンツ指定欄Ｒ１４にＵＲＬを入力したり、他のコンピュータ名を指定して入力したりすることで、広告コンテンツが広告サーバ１の記憶手段１８に格納せず、広告企業Ａ〜Ｃに設置されたサーバや広告企業端末２１〜２３に格納された状態とすることもできる。
【００３３】
検索語入力欄Ｒ１５は、この広告企業の商品やサービスのカテゴリ、特徴などの検索語情報を設定するための入力欄である。例えば、ビール会社であれば、「ビール」、「発泡酒」、「第３のビール」などを設定しておく。また、エステサロンであれば、「ダイエット」、「痩身」、「脱毛」、「小顔」、「アロマ」、「マッサージ」などを設定する。
コメント入力欄Ｒ１６は、広告企業のキャッチコピーやキャッチフレーズなどを設定するための入力欄である。
【００３４】
各入力欄の入力が完了すると「送信」ボタンＢ１１を押下することで、設定ページＰ２により設定された情報が広告企業端末２１から広告サーバ１へ送信される。また広告コンテンツが指定された場合には、指定された広告コンテンツがアップロードされる。
【００３５】
広告サーバ１では、設定ページＰ２により設定された情報と、指定されていれば広告コンテンツとが記憶手段１８に格納される。広告サーバ１の口座処理手段１６は、金融機関サーバ４へ向けて、広告企業Ａの口座情報を振込元とし、管理会社Ｋの口座情報を振込先とし、管理会社Ｋへ広告掲載料として支払われる広告手数料情報と金融機関Ｆに振込手数料として支払われる振込手数料情報とを総額情報に加算した振込金額を振込情報として、振込の手続きを要求する。
【００３６】
利用者Ｕ１〜Ｕ４は、利用者端末３１〜３４を操作して、広告サーバ１をアクセスすると、広告サーバ１のページ処理手段１５は図３に示す認証ページＰ１をアクセス要求の送信元の利用者端末３１〜３４へ送信する。
【００３７】
利用者端末３１〜３４に認証ページが表示されると、利用者端末３１〜３４を操作する利用者Ｕ１〜Ｕ４は、登録した認証情報であるＩＤ情報とパスワード情報を入力して「ＯＫ」ボタンを押下する。
【００３８】
広告サーバ１では、利用者端末３１〜３４から送信されたＩＤ情報とパスワード情報に基づいて認証手段１４が記憶手段１８を参照して認証を取る。認証が得られ、ＩＤ情報に関連付けられた属性情報から個人である利用者Ｕ１〜Ｕ３のいずれかであることが判定されると、ページ処理手段１５は、図５に示す広告ページＰ３を生成して送信する。
【００３９】
広告ページＰ３には、スポンサー企業である広告企業Ａ〜Ｃの名称を示す企業名情報と、広告コンテンツを視聴することで得られる報酬情報とが表示されている。図５に示す例では、広告企業Ａのページが表示されており、報酬情報は「１００」円である。また、広告ページＰ３には、「視聴する」ボタンＢ２１と、「キャンセル」ボタンＢ２２とが設けられる。
【００４０】
利用者Ｕ１〜Ｕ４は、広告コンテンツを視聴する場合には「視聴する」ボタンＢ２１を押下する。また、利用者Ｕ１〜Ｕ４は、広告コンテンツを視聴しない場合には「キャンセル」ボタンＢ２２を押下する。
例えば、利用者端末３１に表示された広告ページＰ３において、「視聴する」ボタンＢ２１が押下されると、ページ処理手段１５は記憶手段１８に格納された育成コンテンツと、広告企業Ａの広告コンテンツと、社会貢献コンテンツとを読み出し、利用者端末３１へ送信する。
【００４１】
利用者端末３１を操作する利用者Ｕ１は、利用者端末３１に表示される育成コンテンツと、広告企業Ａの広告コンテンツと、社会貢献コンテンツとを順番に視聴する。全部のコンテンツの視聴が完了すると、広告サーバ１の口座処理手段１６は、金融機関サーバ４へ向けて、管理会社Ｋの口座情報を振込先とし、利用者Ｕ１の口座情報を振込先とし、報酬情報分を振込金額を示す振込情報として振込の手続きを要求する。そうすることで、利用者Ｕ１は広告コンテンツの視聴に対する報酬を得ることができる。
また、管理会社Ｋは報酬の一部を、育成広告コンテンツに登場したバンドや芸人に活動費として寄付したり、福祉活動をする団体に寄付したりするのが望ましい。
【００４２】
利用者Ｕ１は、広告コンテンツを視聴しているときに、宣伝されている商品に興味が湧いた場合には、広告コンテンツを表示している表示画面をクリックすることで、ページ処理手段１５はこの商品に関するウェブページへジャンプさせてもよい。このウェブページは、広告コンテンツを表示している画面とは別ウィンドウで表示したり、同じ画面に表示させたりすることができる。商品に関するウェブページを広告コンテンツと同じ画面に表示させるときには、広告コンテンツが上書きされ、見えなくなってしまうので、ウェブページの参照が終わったときにページを戻す操作を行うことで、広告コンテンツの続きを視聴できるようにするのが望ましい。
【００４３】
次に、視聴しようとする利用者Ｕ２が利用者端末３２を操作してログインしたときに、例えば、図６に示すように、広告ページＰ４として、広告ページの利用者数情報を表示するようにしてもよい。図６に示す例では、利用者が一人視聴したので「９９人」と表示される。つまり、利用者の一人が視聴する度に、記憶手段１８に格納された利用者数情報は一つ減り、総額情報は報酬情報分が減る。
【００４４】
例えば、広告企業Ｂ，Ｃが、設定ページの参考分配単価を参照したり、広告ページＰ３を参照したりすると広告企業Ａのページであることがわかる。広告企業Ａ〜Ｃの現状の設定を図７（Ａ）に示すと、広告企業Ａが報酬情報１００、利用者人数情報が９９となっているのに対し、広告企業Ｂは報酬情報５０、利用者人数情報が１０００、広告企業Ｃは報酬情報９０、利用者人数情報が１００である。つまり、広告に対する総額は広告企業Ａより広告企業Ｂの方が高いにもかかわらず、利用者の一人当たりの報酬が広告企業Ａの方が広告企業Ｂより高いので、広告ページＰ３では広告企業Ａが表示されている。
【００４５】
これでは、広告企業Ｂは広告を掲載する意味がないので、報酬情報を上げる設定を設定ページにより行う。図７（Ｂ）に示すように広告企業Ｂが報酬情報を「５０」から「１２０」へ変更することで、広告企業Ａ，Ｃより高くなる。従って、広告ページでは、利用者がログインしたタイミングによって広告企業Ｂの広告コンテンツと、「５０」から「１２０」へ変更された報酬情報が表示されるようになる。
【００４６】
本実施の形態では、報酬情報が変更されることで、リアルタイムに広告ページに掲載される広告企業Ａ〜Ｃのうち最も報酬情報が高い企業が掲載されるようにしている。しかし、ページ処理手段１５の処理により利用者数情報が０になるまで固定的に掲載される広告企業が変わらないようにしてもよい。例えば、大手企業に混じって中小企業が広告を行う場合には、中小企業が報酬を高く設定しても大手企業が中小企業より高い報酬をすぐに設定することが想定される。従って、中小企業が一回、他の広告企業より高い報酬を設定したならば、視聴可能な利用者全体が視聴し終えるまで、広告ページへの掲載が他の広告企業へ切り替わらないようにすることで、中小企業に優位性を与えることができる。また、利用者数情報が０となるか、または掲載開始から所定時間が経過したことを条件に、その時点で、報酬情報が高い企業が広告ページに掲載されるようにしてもよい。
【００４７】
このように、本実施の形態に係る広告サーバ１によれば、ページ処理手段１５が、報酬情報が最も高い広告企業Ａ〜Ｃの広告コンテンツのみが視聴可能な広告ページＰ３を、広告企業Ａ〜Ｃの報酬情報を含めて生成するので、広告企業Ａ〜Ｃは利用者に視聴させるためには他の広告企業よりも高い報酬情報を設定して、利用者に与える必要がある。利用者は、吊り上がる報酬に期待して積極的に広告コンテンツを視聴しようと広告ページＰ３にアクセスするようになるので、広告コンテンツの視聴を積極的にアピールすることができる。
【００４８】
また、広告ページＰ３には、報酬情報が最も高い広告企業Ａや広告企業Ｂのみが表示され、広告企業Ｃは表示されないので、広告企業Ｃは広告企業Ａ，Ｂよりも高い報酬情報を設定する必要がある。従って、更に利用者Ｕ１〜Ｕ４に対して高い報酬が与えられる可能性がある。
【００４９】
更に、広告ページＰ３には、広告企業Ａ〜Ｃが支払い可能な利用者の残り人数を示す利用者数情報が表示されているので、利用者Ｕ１〜Ｕ４は広告ページの視聴可能な残りの人数を見て、広告コンテンツが視聴できなくなる前に、早く視聴して報酬を得ようとするので、利用者Ｕ１〜Ｕ４に広告コンテンツの視聴をより強く促すことができる。
【００５０】
次に、広告コンテンツ検索装置として機能する広告サーバ１の動作および使用状態を説明する。
利用者Ｕ１〜Ｕ４が、広告企業を検索するときには、利用者端末３１〜３４を操作して、検索ページの表示要求を広告サーバ１へ送信する。広告サーバ１のページ処理手段１５は、利用者端末３１〜３４からの検索ページへのアクセス要求があると、図８に示す検索ページＰ５を送信する。利用者端末３１〜３４では、受信した検索ページＰ５を表示画面に表示する。
【００５１】
検索ページＰ５には、利用者が検索キーワードを入力するための検索キーワード入力欄Ｒ２１が設けられている。また、検索ページＰ５には、検索開始を指示する２つのボタンが設けられている。一つは、ヤフー社やグーグル社などが運営するポータル検索サイト（図示せず）へ検索キーワードを送信して検索を行う「検索」ボタンＢ３１である。もう一つは、広告企業を検索するための「レート検索」ボタンＢ３２である。
利用者Ｕ１〜Ｕ４が広告企業を検索するときには、検索キーワード入力欄Ｒ２１に検索キーワードを入力し、「レート検索」ボタンＢ３２を押下する。
【００５２】
例えば、図７に示す広告企業Ａ〜Ｃがフランス料理を提供するレストランを運営する企業である場合、図４に示す設定ページＰ２では広告企業Ａ〜Ｃは「フレンチ」、「グルメ」、「ワイン」などが検索語情報として設定される。
【００５３】
利用者Ｕ１が利用者端末３１を操作して、図８に示す検索ページＰ５の検索キーワード入力欄Ｒ２１に「グルメ」を入力し、「レート検索」ボタンＢ３２を押下したとする。そうすると、利用者端末３１から検索キーワードを受信した検索手段１７が、検索キーワードである「グルメ」に基づいて、記憶手段１８の広告企業情報を検索する。この検索により、広告企業Ａ〜Ｃが該当企業として、まず選択される。次に、検索手段１７は、それぞれの広告企業Ａ〜Ｃの報酬情報を比較して、報酬情報が最も高い広告企業を、抽出企業として抽出する。この場合、広告企業Ａは「１００」円、広告企業Ｂは「１２０」円、広告企業Ｃは「９０」円であるので、広告企業Ｂが報酬情報が最も高い。従って、検索手段１７は、広告企業Ｂを抽出企業として、企業名情報と報酬情報とをページ処理手段１５へ通知する。
【００５４】
ページ処理手段１５は、抽出企業として抽出された広告企業Ｂの企業名情報と報酬情報とを掲載した検索結果ページ（図９参照）を生成して、利用者端末３１へ送信する。
図９に示す例では、検索結果ページＰ６として、広告コンテンツが閲覧可能な広告ページにリンクされた企業名情報「広告企業Ｂ」と報酬情報「１２０」と共に、コメント情報「ビンテージワインからリーズナブルなものまでご用意できます。」が表示されている。また、検索結果ページＰ６には、検索キーワードとは関連なく検索手段１７により任意に選択された、社会貢献コンテンツにリンクされたサークル名情報と、育成コンテンツにリンクされたグループ名情報とが表示されている。
【００５５】
利用者Ｕ１は、利用者端末３１を操作して、検索結果ページＰ６に表示された広告企業Ｂ上をクリックすることで、広告コンテンツが閲覧され、報酬を得ることができる。また、社会貢献コンテンツにリンクされたサークル名情報や、育成コンテンツにリンクされたグループ名情報をクリックすることにより、社会貢献コンテンツや育成コンテンツを閲覧することができる。
【００５６】
このように、検索キーワードにより検索され、検索結果ページにより表示された広告企業は、利用者が興味を持っている企業である確度が高いので、利用者に取っては有益な情報である。また、検索された広告企業は、閲覧することで支払われる報酬が高いので、利用者に対して閲覧を促すことができる。また、広告企業に取っては広告内容に興味のある利用者に広告コンテンツを閲覧させることができる、従って、本実施の形態に係る広告サーバ１は、利用者に取っては趣味や嗜好に合致した広告コンテンツを容易に検索することができ、広告企業にとってはその広告企業の広告コンテンツに興味があると思われる利用者に閲覧させやすい状態とすることができるので、高い広告効果が得られる。
【００５７】
利用者Ｕ１のようにして、多くの利用者が広告企業Ｂの広告コンテンツを閲覧することで、報酬の支払いが重なり総額情報を超え、支払いができなくなると、検索手段１７は報酬情報が次に高い広告企業Ａを抽出企業として検索する（図７（Ｂ）参照）。
このように、広告コンテンツを閲覧しても報酬が支払われないと、抽出企業として抽出されても、利用者を広告ページまで誘導させることが難しくなる。検索手段１７が、抽出企業として、広告コンテンツを閲覧した利用者に報酬を支払うことによって、総額情報を超え支払いができなくなった広告企業Ａを除くことで、検索時点で報酬の支払いが可能で、かつ報酬情報が最も高い広告企業Ｂを検索することができる。
【００５８】
例えば、検索キーワードとして、複数の検索キーワードを入力することがある。一般的な検索サイトでは複数の検索キーワードを入力すると、アンド条件となって検索結果の上位には、全ての検索キーワードを含むウェブサイトが検索される。つまり、数多く検索サイトを絞り込むために、複数の検索キーワードを入力する。
【００５９】
しかし、本実施の形態に係る広告サーバ１では、複数の検索キーワードにより検索すると、検索手段１７はそれぞれのいずれかの検索キーワードを検索語情報として含む広告企業について検索する。例えば、検索キーワードとして、「グルメ」、「パーティ」を入力した場合には、検索手段１７は、フランスレストラン以外にも、イタリアン、和食、居酒屋などの広告企業も検索対象とする。これは、複数の検索キーワードを入力するということは、いずれに検索キーワードも利用者が興味があることを示しているからである。従って、検索範囲を広げることができ、更に報酬の高い広告企業が抽出企業として検索される確率を高くすることができる。
【００６０】
なお、本実施の形態では、広告サーバ１が、広告支援装置としての機能と、広告コンテンツ検索装置としての機能との両方の機能を備えているが、２台の装置に分けるように構成してもよい。その場合には、いずれか一方の装置に備えた記憶手段に他方の装置がアクセスするように構成することで、２台の装置とすることが可能である。
【産業上の利用可能性】
【００６１】
本発明は、利用者が興味を持っている広告コンテンツを閲覧させることができることで、広告企業が広告コンテンツを積極的に利用者にアピールすることができるので、携帯電話用サイトやパーソナルコンピュータ向けのサイトなどで宣伝広告活動を行う広告企業が幅広く活用することができる。
【符号の説明】
【００６２】
１  広告サーバ
１１  通信手段
１２  表示手段
１３  入力手段
１４  認証手段
１５  ページ処理手段
１６  口座処理手段
１７  検索手段
１８  記憶手段
２１〜２３  広告企業端末
３１〜３４  利用者端末
４  金融機関サーバ
Ｋ  管理会社
Ａ〜Ｃ  広告企業
Ｕ１〜Ｕ４  利用者  
Ｆ  金融機関
Ｗ  インターネット
Ｐ１  認証ページ
Ｐ２  設定ページ
Ｒ１１  振込金額欄
Ｒ１２  分配単価欄
Ｒ１３  分配人数欄
Ｒ１４  広告コンテンツ指定欄
Ｒ１５  検索語入力欄
Ｒ１６  コメント入力欄
Ｂ１１  「送信」ボタン
Ｂ１２  「キャンセル」ボタン
Ｂ１３  「参照」ボタン
Ｐ３，Ｐ４  広告ページ
Ｂ２１  「視聴する」ボタン
Ｂ２２  「キャンセル」ボタン
Ｐ５  検索ページ
Ｒ２１  検索キーワード入力欄
Ｂ３１  「検索」ボタン
Ｂ３２  「レート検索」ボタン
Ｐ６  検索結果ページ
【図１】
2011028645.tif 000003
【図２】
2011028645.tif 000004
【図３】
2011028645.tif 000005
【図４】
2011028645.tif 000006
【図５】
2011028645.tif 000007
【図６】
2011028645.tif 000008
【図７】
2011028645.tif 000009
【図８】
2011028645.tif 000010
【図９】
2011028645.tif 000011